(57)【特許請求の範囲】
【請求項１】
皮膚を押圧して局所的に刺激を加える刺激治療用加圧体であって、
略錐台状の頂部と、
前記頂部の全体を支持する底面とを備え、
前記頂部は、先端に前記略錐台の周縁０．０５〜０ ．５ｍｍ幅の縁部と前記縁部の内側の凹部とが形成され、
前記凹部の幅は１〜３ｍｍであり、
前記縁部の水平面を構成する上面が円形状に成形され、
前記頂部の外面と前記凹部の内面とが前記縁部を挟んでなす角φは１／２≦ｔａｎ（φ／２）≦ ３／２ を満たすことを特徴とする、刺激治療用加圧体。
【請求項２】
前記頂部は略円錐台形状であることを特徴とする、請求項１に記載の刺激治療用加圧体。
【請求項３】
前記縁部の上面は、断面直径０．０５〜０．５ｍｍ の円弧状に成形されていることを特徴とする、請求項１又は２に記載の刺激治療用加圧体。
【請求項４】
前記底面は、前記頂部の略錐台形の中心線上の点を含み、該点を中心とする前記底面内の最大円の半径Ｒは１〜１０ｍｍであり、
前記縁部の上面と前記底面との離間距離Ｄは１．５〜５ｍｍであり、
Ｄ≦２Ｒを満たすことを特徴とする、請求項１〜３のいずれか１項に記載の刺激治療用加圧体。
【請求項５】
前記頂部及び前記底部は、樹脂、シリコン、ガラス、プラスチック、木材、竹材、石材、磁器、陶器、セラミック、チタン、金又は銀を用いて一体的に形成されることを特徴とする、請求項１〜４のいずれか一項に記載の刺激治療用加圧体。
【請求項６】
請求項１〜５のいずれか一項に記載の刺激治療用加圧体と、
前記刺激治療用加圧体を皮膚に固定する固定部材と、
を備えることを特徴とする、刺激治療具。
【請求項７】
前記固定部材は、粘着テープであることを特徴とする、請求項６に記載の刺激治療具
【請求項８】
前記刺激治療用加圧体を、互いに５ｍｍ 以上離間して複数備えることを特徴とする、請求項６又は７に記載の刺激治療具
【発明の詳細な説明】
【技術分野】
【０００１】
本発明は、刺激治療用加圧体及び刺激治療具に関する。
【背景技術】
【０００２】
何らかの刺激具を皮膚に貼付して人体に刺激を与えることにより、例えば、皮膚及び皮下組織内の毛細血管を拡張して血流を促進するなどの効果を得る刺激治療具が知られている。
【０００３】
例えば、特許文献１には、人体の皮膚表面に、両面を球面状に成形した圧円板状の磁石を押圧し、粘着シートを用いて付着する磁気治療具が開示されている。しかし、この磁気治療具は、もっぱら磁気による血流促進によって治療効果を得るものであり、加圧等の刺激による治療効果を必ずしも十分に得ることができるものではない。
【０００４】
また、特許文献２には、人体の皮膚に、針体を刺通し、粘着シートを用いて固定する針治療具が開示されている。これによれば針体を刺通した部分に強い刺激を加えることができる。しかし、針体が皮下に埋設されて皮膚に傷を与えることとなり、衛生面の危惧があり、また、金属製の針は金属アレルギーの問題もあり、長時間の継続使用に適したものではない。
【先行技術文献】
【特許文献】
【０００５】
【特許文献１】特開２０００−２０２０３６号公報
【特許文献２】特開２０００−０５１３１５号公報
【発明の概要】
【発明が解決しようとする課題】
【０００６】
本発明は、皮下に埋没させることなく、押圧し、長時間にわたって局所的な加圧刺激を加えて、治療効果を得る刺激治療用加圧体、及びこれを備える刺激治療具を提供することを課題とする。
【課題を解決するための手段】
【０００７】
尖鋭な先端を有しつつも、その先端が針体のように皮膚に刺通して皮下に埋設されてしまうものではない刺激治療用加圧体によって、針体と同様の刺激効果を得つつ、長時間の継続使用を可能にする。このため、本発明の刺激治療用加圧体及び刺激治療具は、以下の特徴を有する。
【０００８】
本発明の刺激治療用加圧体は、
皮膚を押圧して局所的に刺激を加える刺激治療用加圧体であって、
頂点が丸く成形された略錐形状の頂部と、
前記頂部の全体を支持する底面とを備え、
前記頂部の頂角θは１／２≦ｔａｎ（θ／２）≦３／２を満たすことを特徴とする。
【０００９】
この特徴によれば、頂部の頂点を皮膚表面に当接し、頂部の全体を底面により支持して、頂部により押圧することで、皮膚に局所的に刺激を加えることができる。ｔａｎ（θ／２）の値（図１におけるＲ／Ｄ）は、頂点を皮膚に刺通してしまうことがない程度に大きく、頂点が局所的に皮膚を押圧する程度に小さい。
ここで、頂角θは、錐形を側面から見た場合の頂点の角度を言うが、円錐形であれば見る方向に依存せず一定の角度である。円錐形以外の錐形の場合には見る方向に依存して頂点の角度が変動するが、変動する角度のうちの最も小さなものを頂角とする。皮膚に接触した頂点の最小の角度によって、刺通してしまうことがないこと及び押圧の局所性を設計するものである。
【００１０】
本発明の刺激治療用加圧体は、
前記頂部は略円錐形状であることを特徴とする。
【００１１】
この特徴によれば、上面視円形となり、方向に依存せずに同一の効果をもたらす。
【００１２】
本発明の刺激治療用加圧体は、
前記頂部の頂点に当たる箇所は、直径０．０５〜０．５ｍｍの部分球面状に成形されていることを特徴とする。
【００１３】
この特徴によれば、頂点の局所性（小さな皮膚接触面積）を保ちつつ、皮膚に刺通してしまうことがないことを保証できる。
【００１４】
本発明の刺激治療用加圧体は、
前記底面は、前記頂部の略錐形の中心線上の点を含み、該点を中心とする前記底面内の最大円の半径Ｒは１〜１０ｍｍであり、
前記頂点と前記底面との離間距離Ｄは１．５〜５ｍｍであり、
Ｄ≦２Ｒを満たすことを特徴とする。
【００１５】
この特徴によれば、Ｒが大きいことにより、刺激治療用加圧体を、その底面を粘着テープに貼付して皮膚に固定する時に、頂点が十分に押圧されるだけの加圧を粘着テープから得ることができる。なお、「底面内の最大円」は、略錐形の中心線上の点を中心とする円のうち、底面外の点を含まないもののうち最大のものを言う。Ｒは、略錐形が略円錐形であれば底面の半径であり、他の場合には底面の内接円の半径である。（略錐形の中心線上の点は底面の重心と一致するものとする。）
刺激治療用加圧体をどれだけ皮下に押しこむかは、Ｄの値によって定まるが、Ｄ≦２Ｒとして、深く押しこむ場合のＲの値を大きくすることにより、粘着テープからの加圧を十分に得ることができる。
【００１６】
本発明の刺激治療用加圧体は、
皮膚を押圧して局所的に刺激を加える刺激治療用加圧体であって、
略錐台状の頂部と、
前記頂部の全体を支持する底面とを備え、
前記頂部は、先端に前記略錐台の周縁０．０５〜０．５ｍｍ幅の縁部と前記縁部の内側の凹部とが形成され、
前記凹部の幅は１〜３ｍｍであり、
前記縁部の上面が丸く成形され、
前記頂部の外面と前記凹部の内面とが前記縁部を挟んでなす角φは１／２≦ｔａｎ（φ／２）≦３／２を満たすことを特徴とする。
【００１７】
この特徴によれば、頂部の縁部を皮膚表面に当接し、頂部の全体を底面により支持して、頂部により皮膚を押圧することで、皮膚に刺激を加えることができる。ｔａｎ（φ／２）の値は、縁部が皮膚を傷つけてしまうことがない程度に大きく、縁部が局所的に皮膚を押圧する程度に小さい。ここで、「前記凹部の内面の線」は、凹部の形状によっては曲線となるが、その場合は「前記凹部の内面の線が前記縁部に接する箇所における前記凹部の内面の線の接線」を「前記凹部の内面の線」とする。これにより角φの値が決定される。また、凹部の幅は１ｍｍ以上あり、縁部の両端がそれ以上に離間する。これにより、人間の知覚では２点が弁別され、１か所でなく複数個所の押圧を感じる。このことが治療効果を高める。なお、「凹部の幅」は凹部の形状により方向に依存して変動するが、変動する幅のうちの最も小さなものを凹部の幅とする。２点弁別が確実になされるようにするものである。
【００１８】
本発明の刺激治療用加圧体は、
前記頂部は略円錐台形状であることを特徴とする。
【００１９】
この特徴によれば、上面視円形となり、方向に依存せずに同一の効果をもたらす。
【００２０】
本発明の刺激治療用加圧体は、
前記縁部の上面は、断面直径０．０５〜０．５ｍｍの円弧状に成形されていることを特徴とする。
【００２１】
この特徴によれば、縁部の局所性（小さな皮膚接触面積）を保ちつつ、傷つけてしまうことがないことを保証できる。
なお、「断面」は、略錐台の中心軸を含む平面による断面を言う。皮膚に押圧される方向について、皮膚に接触する箇所の形状を規定するものである。
【００２２】
本発明の刺激治療用加圧体は、
前記底面は、前記頂部の略錐台形の中心線上の点を含み、該点を中心とする前記底面内の最大円の  半径Ｒは１〜１０ｍｍであり、
前記縁部の上面と前記底面との離間距離Ｄは１．５〜５ｍｍであり、
Ｄ≦２Ｒを満たすことを特徴とする。
【００２３】
この特徴によれば、Ｒが大きいことにより、刺激治療用加圧体を、その底面を粘着テープに貼付して皮膚に固定する時に、頂点が十分に押圧されるだけの加圧を粘着テープから得ることができる。刺激治療用加圧体をどれだけ皮下に押しこむかは、Ｄの値によって定まるが、ｄ≦２Ｒとして、深く押しこむ場合のＲの値を大きくすることにより、粘着テープからの加圧を十分に得ることができる。
【００２４】
本発明の刺激治療用加圧体は、
前記頂部及び前記底部は、樹脂、シリコン、ガラス、プラスチック、木材、竹材、石材、磁器、陶器、セラミック、チタン、金又は銀を用いて一体的に形成されることを特徴とする。
【００２５】
この特徴によれば、アレルギー反応を誘発し得る金属を用いないことで、皮膚に当接しても金属アレルギーを起こすことなく使用することができる。
【００２６】
本発明の刺激治療具は、
請求項１〜９のいずれか一項に記載の刺激治療用加圧体と、
前記刺激治療用加圧体を皮膚に固定する固定部材と、
を備えることを特徴とする。
【００２７】
この特徴によれば、固定部材により刺激治療用加圧体を皮膚に固定することで、刺激治療用加圧体により、皮膚に、局所的な刺激を継続して長時間加えることができる。
なお、固定部材としては、粘着テープが一般的であるが、刺激治療用加圧体を移動しないように圧接させるものであればよく、包帯、サポータ、ウエストベルト等が固定部材として使用し得る。
【００２８】
本発明の刺激治療具は、
前記固定部材は、粘着テープであることを特徴とする。
【００２９】
この特徴によれば、広く使用されている粘着テープを固定部材として使用することができる。
【００３０】
本発明の刺激治療具は、
前記刺激治療用加圧体を、互いに５ｍｍ以上離間して複数備えることを特徴とする。
【００３１】
この特徴によれば、１枚の粘着テープに装備された複数の刺激治療用加圧体により、皮膚の複数箇所に局所的な刺激を同時に加えることができる。刺激を加える箇所及び刺激治療用加圧体の離間距離は、治療目的に応じて設計することができる。人体の別々のツボを押圧と感じられる程度に離間距離が大きいことが望ましいので、５ｍｍ以上離間させる。
【発明の効果】
【００３２】
本発明の刺激治療用加圧体及び刺激治療具よれば、適度な刺激を皮膚に局所的に加えて、長時間継続して刺激治療することができる。
【図面の簡単な説明】
【００３３】
【図１】図１は、刺激治療具の構成を示す図である。（実施例１）
【図２】図２は、頂点を示す拡大図である。（実施例１）
【図３】図３は、刺激治療具を皮膚の側から見た構成を示す図である。（実施例１）
【図４】図４は、刺激治療具の構成を示す図である。（実施例２）
【図５】図５は、刺激治療具を皮膚の側から見た構成を示す図である。（実施例３）
【図６】図６は、刺激治療具の構成を示す図である。（実施例４）
【図７】図７は、縁部を示す拡大図である。（実施例４）
【図８】図８は、刺激治療具を皮膚の側から見た構成を示す図である。（実施例４）
【発明を実施するための形態】
【００３４】
以下、本発明の実施例について説明する。
【実施例１】
【００３５】
図１に、刺激治療具１０の構成を示す。刺激治療具１０は、刺激治療用加圧体１１及び粘着テープ１２から構成される。
【００３６】
刺激治療用加圧体１１は、皮膚を押圧して局所的に刺激を加える部材であり、頂部１１ａ及び底面１１ｂ０を含んで構成される。刺激治療用加圧体１１は、皮膚に当接しても金属アレルギーを起こすことなく使用することができるよう、シリコンによって一体成形されている。ただし、シリコンでなく樹脂、ガラス、プラスチック、木材、竹材、石材、磁器、陶器セラミック、チタン、金又は銀等であってもよい。また、使用者が金属アレルギーを有さないのであればチタン、金又は銀以外の金属であってもよい。
【００３７】
シリコン、樹脂、ガラス又はプラスチックを用いて成形する場合には金型等を用いた型押し加工等によって容易に成形することができる。
【００３８】
頂部１１ａは、略円錐形状を有し、頂部の頂角（すなわち、側面視において外面がなす角）θは、ｔａｎ（θ／２）≒５／６となる（詳細は後述する）。また、頂点１１ａ０は、部分球面状に成形されている。これにより、頂点１１ａ０を皮膚に刺通することなく、皮膚を押圧することができる。
【００３９】
頂角θは、図において２分された片方（θ／２）を見ると、底面１１ｂ０の半径をＲ、頂点１１ａ０と底面１１ｂ０との離間距離（すなわち、刺激治療用加圧体１１の高さ）をＤとするとき、ｔａｎ（θ／２）≒Ｒ／Ｄとなる。ＲとＤを設計によって定めるので、θを、頂点を皮膚に刺通してしまうことがない程度に大きく、頂点が局所的に皮膚を押圧する程度に小さいようにする。このために、１／２≦ｔａｎ（θ／２）≦３／２とすることが好ましい。
【００４０】
頂点１１ａ０は部分球面状に成形されている。図２に、頂点１１ａ０（及びその近傍）を拡大して示す。頂点１１ａ０は、図に示すように丸く成形され、頂点を皮膚に刺通してしまう可能性を小さくする。ここで、丸く成形する部分の直径２ｒは、０．３ｍｍである。丸く成形する部分が皮膚に直接的に押圧されるので、局所的に刺激を感じるために、０．１〜０．５ｍｍであることが好ましい。
【００４１】
底面１１ｂ０は、頂部１１ａの略円錐形状の底面部分であり、刺激治療用加圧体１１全体を支持する部材である。底面１１ｂ０の半径Ｒは、２．５ｍｍである。半径Ｒは、設計事項として可変であるが、コンパクトに成形し、かつ粘着テープからの加圧を十分に刺激治療用加圧体１１に伝達するために、１〜１０ｍｍであることが好ましい。
【００４２】
ここで、頂点１１ａ０と底面１１ｂ０との離間距離Ｄは３ｍｍである。Ｄの値は、刺激治療用加圧体１１が皮下に押しこまれることの効果のため、１．５〜３．５ｍｍとすることが好ましい。また、底面１１ｂ０の直径２Ｒの値は、Ｄの値よりも大きい。底面１１ｂ０を粘着テープに貼付して粘着テープからの押圧力を十分に皮膚に伝達するために、Ｒを十分に大きくしている。
【００４３】
粘着テープ１２は、刺激治療用加圧体１１を皮膚に固定し、押圧するシート状部材である。粘着テープ１２は、底部１１ｂの底面１１ｂ０より十分大きいシート（本実施例では半径９ｍｍの円形とした）の表面に粘着層１２ａが設けられ、その表面の中央に底面１１ｂ０を付着することで、刺激治療用加圧体１１を固定している。刺激治療用加圧体１１の頂部１１ａを皮膚に当接し、粘着テープ１２の周縁を皮膚に付着することで、刺激治療用加圧体１１を皮膚に固定し、長時間、皮膚に局所的に刺激を加えることができる。図３に、刺激治療用加圧体１１と粘着テープ１２とからなる刺激治療具１０を皮膚の側から見た構成を示す。
【００４４】
以上詳細に説明したように、本実施例に係る刺激治療用加圧体１１は、頂点１１ａ０が丸く成形された略円錐形状の頂部１１ａ及び頂部１１ａの全体を支持する底部１１ｂを備え、頂部１１ａ０の頂角θは頂点を皮膚に刺通してしまうことがない程度に大きく、頂点が局所的に皮膚を押圧する程度に小さい。それにより、頂部１１ａにより、頂部１１ａの頂点１１ａ０を皮膚表面に当接し、頂部１１ａの全体を底部１１ｂにより支持して、皮膚を押圧することで、皮膚に局所的に刺激を加えることができる。粘着テープ１２により刺激治療用加圧体１１を皮膚に固定することで、刺激治療用加圧体１１による刺激を長時間にわたり継続させることができる。
【００４５】
なお、頂部１１ａが円錐形状であるとしたが、頂点を有する錐体形状であれば、他の形状であってもよい。例えば、楕円錐形状、四角錐形状とすることができる（実施例３参照）。その場合、θの値は頂点における錐角の最小値とする。また、Ｒの値は、底面１１ｂ０の内接円（略錐形の中心線上の点を中心とする円のうち、底面外の点を含まないものの最大のもの）の半径とする。
【００４６】
粘着テープ１２に替えて、包帯、サポータ、ウエストベルト等で固定・押圧することもできる。例えば、底面１１ｂ０に面ファスナを設けて、布製の包帯に付着し、包帯を巻いて固定・押圧することができる。
【００４７】
出願人が本実施例に係る刺激治療具１０を使用して実験したところ、金属アレルギーの問題なく多くの者に適用でき、頂点１１ａ０の刺激と刺激治療用加圧体１１による押圧によって治療効果（コリの解消等）を得ることができた。また、６時間以上の長時間の継続使用において不快感はなかった。被験者は、頂点１１ａ０の刺激による１次痛を針体を刺す場合よりも弱く感じる一方、時間を経た後の２次痛を十分に感じた。すなわち、長時間にわたって効果を得たこととなる。
【実施例２】
【００４８】
本実施例は、実施例１と相違する形状の刺激治療用加圧体１１を用いるものである。刺激治療用加圧体１１の形状以外は実施例１と同一であり、詳細な説明を省略する。
【００４９】
実施例１においては刺激治療用加圧体１１を略円錐形状に成形したが、その形状は略円錐形に限らず、底面１１ｂ０が頂部１１ａの全体を支持する形状、すなわち上面視において底面１１ｂ０が頂部１１ａより大きければ任意の形状に成形してよい。
【００５０】
図４に、刺激治療具１０の構成を示す。頂部１１ａと底面１１ｂ０との間で外面を連続し、頂部１１ａに対して底面１１ｂ０が拡がるように底部１１ｂ（頂部１１ａの略円錐形状以外の形状の部分）を設ける。頂部１１ａと底部１１ｂとの境界を、図において点線で示す。こうすることで、Ｒの値を大きくすることができ、粘着テープ１２による押圧を確実にすることができる。
【００５１】
以上詳細に説明したように、本実施例に係る刺激治療用加圧体１１は、底部１１ｂにより底面１１ｂ０の半径Ｒを大きなものとしている。確実に押圧することができる。
【００５２】
なお、本実施例は、底部１１ｂを円錐台形状としたが、他の形状、例えば四角錐形状としてもよい。頂部１１ａに加圧できる形状であれば、いかなる形状であってもよい。
【実施例３】
【００５３】
本実施例は、実施例１、２と相違する形状の刺激治療用加圧体１１を用いるものである。刺激治療用加圧体１１の形状以外は実施例１〜３と同一であり、詳細な説明を省略する。
【００５４】
図５に、刺激治療用加圧体１１と粘着テープ１２とからなる刺激治療具１０を皮膚の側から見た構成を示す。実施例１において円錐形状であった頂部１１ａを四角錐形状とし、円錐台形状であった底部１１ｂを四角錐台形状としたものである。表面視における円形を四角形としたものであり、他は実施例１と同様である。刺激治療具１０を正面から見た形状は、図１及び図２と共通である。なお、頂点１１ａ０については、実施例１と同様に球形に成形する。
【００５５】
以上詳細に説明したように、本実施例に係る刺激治療用加圧体１１は、四角錐状の形状を有し、円錐状の形状の実施例１に係る刺激治療用加圧体１１と同様の効果を有する。
【００５６】
なお、四角錐状以外の錐状、例えば三角錐状、六角推状、楕円推状、その他であってもよい。また、頂部が円錐状、底部が四角錐状など、頂部と底部の上面視形状が相違してもよい。
【実施例４】
【００５７】
本実施例は、実施例１〜３と相違する形状の刺激治療用加圧体１１を用いるものである。刺激治療用加圧体１１の形状以外は実施例１〜３と同一であり、詳細な説明を省略する。
【００５８】
図６に、刺激治療具２０の構成を示す。刺激治療具２０は、刺激治療用加圧体２１及び粘着テープ２２から構成される。
【００５９】
刺激治療用加圧体２１は、刺激治療用加圧体１１と同様に、皮膚を押圧して局所的に刺激を加える部材であり、頂部２１ａ及び底面２１ｂ０を含んで構成される。
【００６０】
頂部２１ａは、円錐台の形状を有し、先端に凹部２１ａ１が形成され、この凹部２１ａ１を区画する縁部２１ａ０が丸く成形されている。
【００６１】
図７に、縁部２１ａ０及びその近傍の拡大断面図を示す。縁部２１ａ０は、頂部２１ａの円錐台の上面の周縁に、小円の直径Ｓが０．３ｍｍの半トーラス状に成形されている。
【００６２】
凹部２１ａ１の幅Ｗは１．５ｍｍである。縁部２１ａ０の直径方向の両端が感覚上弁別でき、２点以上が押圧されている感覚となる。Ｗは、直径方向の両端が弁別できるため、１ｍｍ〜３ｍｍであることが好ましい。
【００６３】
頂部２１ａの外面、縁部２１ａ０及び凹部２１ａ１の内面が接合する部分は、断面形状として図２と同様である。頂部２１ａの外面と凹部２１ａ１の縁部２１ａ０を挟んでなす角φは、ｔａｎ（φ／２）≒５／６となる。それにより、頂部２１ａにより、縁部２１ａ０を皮膚に刺通することなく、皮膚を押圧することができる。
【００６４】
底部２１ｂは、頂部２１ａの全体を支持する部材である。底部２１ｂは、頂部２１ａの円錐台形の中心線Ｌ上に中心を位置する略円形状の底面２１ｂ０を有する。底面２１ｂ０の半径Ｒは２．５ｍｍである。
【００６５】
図８に、刺激治療具を皮膚の側から見た構成を示す。刺激治療具２０は、縁部２１ａ０及び凹部２１ａ１が図のように配置される。
【００６６】
以上詳細に説明したように、本実施例に係る刺激治療用加圧体２１は、実施例１に係る刺激治療用加圧体１１の頂角と同形状のものが円形に接続された縁部を備える。縁部は、０．３ｍｍの直径を有し、２点以上の刺激として弁別され、広範に治療効果を及ぼす効果を得ることができる。
【００６７】
なお、本実施例は、実施例１と同様に頂部１１ａを表面視円形（実施例１の円錐形に対応した円錐台形）としたが、実施例３のように、他の形状の錐台形状とすることもできる。また、実施例２のように、底部１１ｂを頂部１１ａを下方に延伸した形状以外の形状としてもよい。
【００６８】
以上、実施例１〜４について説明した。
【００６９】
刺激治療具１０，２０は、１つの刺激治療用加圧体１１，２１を含むものとしたが、その数は１に限らず複数でもよい。複数の刺激治療用加圧体１１，２１は、互いに５ｍｍ以上離間して、粘着テープ１２，２２の粘着層１２ａ，２２ａ上に固定される。それにより、複数の刺激治療用加圧体１１，２１により常時、皮膚の複数箇所に局所的な刺激を加えることができる。いくつの刺激治療用加圧体１１，２１を、いかなる箇所に配するかについては、治療目的に応じて定めればよい。
【００７０】
刺激治療具１０，２０において、粘着テープ１２，２２の粘着層１２ａ，２２ａを剥離可能な剥離シートでカバーしてもよい。刺激治療具１０，２０を使用する際に、粘着テープ１２，２２から剥離シートを剥離して使用することができる。
【産業上の利用可能性】
【００７１】
本発明の刺激治療用加圧体及び刺激治療具は、適度な刺激を皮膚に局所的に加えて刺激治療するのに好適である。多くの個人による利用が考えられる。
【符号の説明】
【００７２】
１０       刺激治療具
１１       刺激治療用加圧体
１１ａ     頂部
１１ａ０   頂点
１１ｂ     底部
１１ｂ０   底面
１２       粘着テープ
１２ａ     粘着層
２０       刺激治療具
２１       刺激治療用加圧体
２１ａ     頂部
２１ａ０   縁部
２１ａ１   凹部
２１ｂ     底部
２１ｂ０   底面
２２       粘着テープ
【図１】
0006719256.tif 000002
【図２】
0006719256.tif 000003
【図３】
0006719256.tif 000004
【図４】
0006719256.tif 000005
【図５】
0006719256.tif 000006
【図６】
0006719256.tif 000007
【図７】
0006719256.tif 000008
【図８】
0006719256.tif 000009